(57)【要約】【課題】携帯電話事業者間で取り扱いが異なる所定の記号を含む数字列のトーン送出の失敗を低減すること。【解決手段】本発明による車載ハンズフリー電話システム２であって、車載機１０Ａと、前記車載機に有線又は無線により接続されると共に、基地局３０に無線により接続される携帯電話２０とを備え、前記車載機は、前記携帯電話を介して、前記基地局から、前記携帯電話が現在接続されているネットワーク情報及びローミング情報を取得する情報取得手段１６と、所定記号を途中に含む数字列を記憶する記憶手段１３と、前記記憶手段に記憶された数字列を前記携帯電話に送信して前記携帯電話にトーン送出させるトーン送出制御手段１６とを備え、前記トーン送出制御手段は、前記情報取得手段で取得したネットワーク情報及びローミング情報に基づいて、前記所定記号に後続する数字列部分のトーン送出挙動を決定する。【選択図】図４
2011009905.tif 000002
【特許請求の範囲】
【請求項１】
車載ハンズフリー電話システムであって、
車載機と、
前記車載機に有線又は無線により接続されると共に、基地局に無線により接続される携帯電話とを備え、
前記車載機は、
前記携帯電話を介して、前記基地局から、前記携帯電話が現在接続されているネットワーク情報を取得する情報取得手段と、
所定記号を途中に含む数字列を記憶する記憶手段と、
前記記憶手段に記憶された数字列を前記携帯電話に送信して前記携帯電話にトーン送出させるトーン送出制御手段とを備え、
前記トーン送出制御手段は、前記情報取得手段で取得したネットワーク情報に基づいて、前記所定記号に後続する数字列部分のトーン送出挙動を決定する、車載ハンズフリー電話システム。
【請求項２】
前記トーン送出制御手段は、前記情報取得手段で取得したネットワーク情報に基づいて、前記所定記号に後続する数字列部分をユーザからの操作を待ってからトーン送出させる挙動、及び、前記所定記号に後続する数字列部分を所定秒間待ってからトーン送出させる挙動のうちのいずれかを決定する、請求項１に記載の車載ハンズフリー電話システム。
【請求項３】
前記情報取得手段は、前記ネットワーク情報に加えて、ローミング情報を取得し、
前記トーン送出制御手段は、前記情報取得手段で取得したネットワーク情報及びローミング情報に基づいて、前記所定記号に後続する数字列部分のトーン送出挙動を決定する、車載ハンズフリー電話システム。
【請求項４】
前記トーン送出制御手段は、前記情報取得手段で取得したネットワーク情報及びローミング情報に基づいて、前記所定記号に後続する数字列部分をユーザからの操作を待ってからトーン送出させる挙動、及び、前記所定記号に後続する数字列部分を所定秒間待ってからトーン送出させる挙動のうちのいずれかを決定する、請求項３に記載の車載ハンズフリー電話システム。
【請求項５】
所定記号を途中に含む数字列は、相手先の電話番号の数字列部分と、該電話番号に後続する前記所定記号、及び、該所定記号に後続する数字列部分を含む、請求項１〜４のうちのいずれか１項に記載の車載ハンズフリー電話システム。
【請求項６】
車載ハンズフリー電話システムであって、
車載機と、
前記車載機に有線又は無線により接続されると共に、基地局に無線により接続される携帯電話とを備え、
前記車載機は、
当該車載器に現在接続されている携帯電話の事業者情報を取得する情報取得手段と、
所定記号を途中に含む数字列を記憶する記憶手段と、
前記記憶手段に記憶された数字列を前記携帯電話に送信して前記携帯電話にトーン送出させるトーン送出制御手段とを備え、
前記トーン送出制御手段は、前記情報取得手段で取得した事業者情報に基づいて、前記所定記号に後続する数字列部分のトーン送出挙動を決定する、車載ハンズフリー電話システム。
【請求項７】
車載ハンズフリー電話システムであって、
車載機と、
前記車載機に有線又は無線により接続されると共に、基地局に無線により接続される携帯電話とを備え、
前記車載機は、
当該車載器に現在接続されている携帯電話の事業者情報を取得する事業者情報取得手段と、
前記携帯電話を介して、前記基地局から、前記携帯電話が現在接続されているネットワーク情報及びローミング情報を取得するネットワーク情報取得手段と、
所定記号を途中に含む数字列を記憶する記憶手段と、
前記記憶手段に記憶された数字列を前記携帯電話に送信して前記携帯電話にトーン送出させるトーン送出制御手段とを備え、
前記トーン送出制御手段は、前記事業者情報取得手段により事業者情報が取得された場合は、該取得した事業者情報に基づいて、前記所定記号に後続する数字列部分のトーン送出挙動を決定し、前記事業者情報取得手段により事業者情報が取得されない場合は、前記ネットワーク情報取得手段で取得したネットワーク情報及びローミング情報に基づいて、前記所定記号に後続する数字列部分のトーン送出挙動を決定する、車載ハンズフリー電話システム。
【請求項８】
車載ハンズフリー電話システムにおけるトーン送出方法であって、
携帯電話を車載器に接続するステップと、
前記携帯電話を介して、前記基地局から、前記携帯電話が現在接続されているネットワーク情報及びローミング情報を取得する情報取得ステップと、
所定記号を途中に含む数字列を、記憶手段から読み出すステップと、
前記情報取得ステップで取得したネットワーク情報及びローミング情報に基づいて、前記読み出した数字列に含まれる数字列部分であって、前記所定記号に後続する数字列部分のトーン送出挙動を決定するトーン送出挙動決定ステップと、
前記トーン送出挙動決定ステップで決定したトーン送出挙動に従って、前記読み出した数字列を前記携帯電話に送信して前記携帯電話にトーン送出させるステップとを含む、方法。
【発明の詳細な説明】
【技術分野】
【０００１】
本発明は、車載ハンズフリー電話システム及びトーン送出方法に関する。
【背景技術】
【０００２】
従来から、ユーザが車内に持ち込んだ携帯電話と車載機とで協動して実現される車載ハンズフリー電話システムは知られている（例えば、特許文献１参照）。かかる車載ハンズフリー電話システムでは、ユーザは、車載機の操作キーを操作して、車内より発呼することでユーザの携帯電話を介して相手先電話機に接続し、相手と通話することができる。
【先行技術文献】
【特許文献】
【０００３】
【特許文献１】特開２００８−０９８９８１号公報
【発明の概要】
【発明が解決しようとする課題】
【０００４】
ところで、ユーザは、携帯電話で例えば相手先の電話番号を入力して所望の相手先と接続した後、相手先から要求されるクレジットカードの番号や暗証番号などを携帯電話で入力することで、所望の取り引きを行う場合がある。このような番号(数字列)は、毎回いちいち入力するのが面倒である。従って、入力すべき数字列が決まっている相手先に関しては、携帯電話の電話帳に、例えば電話番号、クレジットカードの番号、暗証番号からなる数字列を記憶させておく。この場合、所望の数字列を電話帳から呼び出して携帯電話にトーン送出させることでき、便利である。この際、ユーザは、電話帳に記憶させる数字列には、例えば電話番号のトーン送出後に直ぐにクレジットカードの番号がトーン送出されないように、電話番号とクレジットカードの番号の間に、Ｐ，Ｔ，Ｗといった所定の記号を含める。所定の記号は、各携帯電話事業者により予め複数用意されているのが一般的である。例えば、ある携帯電話事業者では、Ｐの意味は、例えばユーザからの操作を待ってから次の所定の記号までの数字列部分（次の所定記号がないときは最後までの数字列部分、以下同じ）をトーン送出させるという意味であり、Ｔの意味は、例えば２秒間を待ってから次の所定の記号までの数字列部分をトーン送出させるという意味であるといった具合である。従って、ユーザは、自身の所有する携帯電話の携帯電話事業者に関するこれらの記号の意味を理解した上で、携帯電話の電話帳に、所定の記号を含む数字列を記憶させることになる。
【０００５】
しかしながら、Ｐのような特定の記号は、複数の携帯電話事業者で使用されるにも拘らず、携帯電話事業者間で取り扱いが異なる。また、Ｔのような特定の記号は、特定の携帯電話事業者のみでしか使用できないといった具合に、携帯電話事業者間で取り扱いが異なる。従って、車載ハンズフリー電話システムにおいて、車載機が、携帯電話の携帯電話事業者を把握せずに、携帯電話にトーン送出させると、ユーザの意図したトーン送出が実現されない（即ちトーン送出が失敗する）可能性がある。
【０００６】
そこで、本発明は、携帯電話事業者間で取り扱いが異なる所定の記号を含む数字列のトーン送出の失敗を低減することができる車載ハンズフリー電話システム及びトーン送出方法の提供を目的とする。
【課題を解決するための手段】
【０００７】
上記目的を達成するため、本発明の一局面によれば、車載ハンズフリー電話システムであって、
車載機と、
前記車載機に有線又は無線により接続されると共に、基地局に無線により接続される携帯電話とを備え、
前記車載機は、
前記携帯電話を介して、前記基地局から、前記携帯電話が現在接続されているネットワーク情報を取得する情報取得手段と、
所定記号を途中に含む数字列を記憶する記憶手段と、
前記記憶手段に記憶された数字列を前記携帯電話に送信して前記携帯電話にトーン送出させるトーン送出制御手段とを備え、
前記トーン送出制御手段は、前記情報取得手段で取得したネットワーク情報に基づいて、前記所定記号に後続する数字列部分のトーン送出挙動を決定する、車載ハンズフリー電話システムが提供される。
【発明の効果】
【０００８】
本発明によれば、携帯電話事業者間で取り扱いが異なる所定の記号を含む数字列のトーン送出の失敗を低減することができる車載ハンズフリー電話システム等が得られる。
【図面の簡単な説明】
【０００９】
【図１】本発明の実施例１による車載ハンズフリー電話システム１を示す全体システム図である。
【図２】車載機１０の主要機能を示す図である。
【図３】トーン送出制御部１９により実行されるトーン送出制御の一例を示すフローチャートである。
【図４】トーン送出制御部１９により実行されるトーン送出制御のその他の一例を示すフローチャートである。
【図５】本発明の実施例２による車載ハンズフリー電話システム２を示す全体システム図である。
【図６】実施例２による車載機１０Ａの主要機能を示す図である。
【図７】図７は、実施例２のトーン送出制御部１９Ａにより実行されるトーン送出制御の一例を示すフローチャートである。
【図８】本発明の実施例３による車載ハンズフリー電話システム３を示す全体システム図である。
【図９】実施例３による車載機１０Ｂの主要機能を示す図である。
【図１０】図１０は、実施例３のトーン送出制御部１９Ｂにより実行されるトーン送出制御の一例を示すフローチャートである。
【発明を実施するための形態】
【００１０】
以下、図面を参照して、本発明を実施するための最良の形態の説明を行う。
【００１１】
図１は、本発明の実施例１による車載ハンズフリー電話システム１を示す全体システム図である。
【００１２】
本実施例の車載ハンズフリー電話システム１は、車載機１０と、携帯電話２０とを含む。
【００１３】
車載機１０と携帯電話２０の間では双方向の通信が可能である。この通信は、例えばBluetooth（登録商標）に基づいて実現されてもよい。或いは、この通信は、他の無線通信形態で実現されてもよい。或いは、この通信は、車載機１０と、携帯電話２０との間の有線接続により実現されてもよい。携帯電話２０は、以下で説明する機能を有する限り、携帯電話以外にも、ＰＤＡ(personal  digital  assistant)などの他の形態の携帯端末であってもよい。
【００１４】
携帯電話２０は、内部にメモリを有し、メモリにはユーザが登録した電話帳が記憶されている。携帯電話２０は、基地局３０を介して他の携帯電話や固定電話（図示せず）と無線接続する。尚、携帯電話２０の通信方式は、携帯電話２０の携帯電話事業者（キャリア）に依存して任意であり、例えばＧＳＭ(Global  System  for  Mobile  Communications)、ＣＤＭＡ（Code  Division  Multiple  Access）、ＷＣＤＭＡ(Wideband  Code  Division  Multiple  Access)等であってよい。
【００１５】
携帯電話２０は、車載機１０と接続された状態では、車載機１０との間での双方向通信を介して、いわゆるハンズフリー通話等が可能となる。例えば、ユーザは、車載機１０から電話番号を入力して発呼ボタンを押すと、携帯電話２０を介して発呼され、相手先の携帯電話や固定電話と接続する。このとき、ユーザは、車内の車載スピーカーから出力される相手側の音声を聞きながら、車内の車載マイクに向けて発話し、いわゆるハンズフリー通話を行うことができる。
【００１６】
図２は、車載機１０の主要機能を示す図である。車載機１０は、ハードウェア構成としては、図示しないバスを介して互いに接続されたＣＰＵ、ＲＯＭ、及びＲＡＭ等からなるマイクロコンピュータを中心に構成される。
【００１７】
車載機１０は、ユーザとの対話を行うためのユーザインターフェース１２を備える。ユーザインターフェース１２は、例えばタッチパネルディスプレイ装置のタッチパネルや、リモコン、インストルメントパネルやステアリングに設定されるスイッチ群等であってもよい。
【００１８】
車載機１０は、電話帳１３を備える。電話帳１３は、例えばハードディスクドライブのような記憶装置により構成され、携帯電話２０が備える同様の電話帳内の電話帳データが記憶（コピー）される。例えば、車載機１０は、車載機１０が携帯電話２０と接続された状態で、携帯電話２０の電話帳の電話帳データ（電話番号や後述のトーン送出用の数字列）を取得し、取得した電話帳データを電話帳１３に記憶する。従って、電話帳１３には、典型的には、携帯電話２０のユーザの知り合いや利用する施設の電話番号等が記憶されることになる。尚、電話帳１３には、複数のユーザ（携帯電話２０）が同一の車両を利用することを想定して、携帯電話２０毎の電話帳データが記憶されてもよい。また、電話帳１３内の電話帳データは、ユーザインターフェース１２を介してユーザが入力した電話帳データを含んでもよいし、ユーザが持ち込んだ記憶媒体内の電話帳データをダウンロードすることで生成又は付加されてもよいし、外部サーバーから電話帳データをダウンロードすることで生成又は付加されてもよい。
【００１９】
本実施例では、電話帳１３には、所定記号（後述）を含むトーン送出用の数字列が記憶される。所定記号を含むトーン送出用の数字列は、典型的には、相手先の電話番号を最初に含み、それに後続して、所定の数字列を含む。所定の数字列は、例えばユーザのクレジットカードの番号、同クレジットカードの有効期限、ユーザの生年月日、パスワード、ユーザＩＤのような数字列である。このような頻繁に入力する必要があるトーン送出用の数字列を予め登録（記憶）しておけば、毎回入力する必要がなくなり、便利である。トーン送出用の数字列は、所定記号（後述）により区切られている。例えば、相手先の電話番号と、それに後続する所定の数字列の間には、当該後続する所定の数字列をトーン送出する際の挙動（タイミング等）を定める所定記号（後述）が入れられる。また、相手先の電話番号に後続する所定の数字列が、２種類以上の数字列部分（例えば、クレジットカードの番号、同クレジットカードの有効期限の２種類の数字列部分）を含む場合であって、それらの数字列部分が連続してトーン送出されるべきでない場合は、それらの数字列部分の間に所定記号（後述）が入れられる。
【００２０】
車載機１０は、ネットワーク情報取得部１６を備える。ネットワーク情報取得部１６は、車載機１０が携帯電話２０と接続された状態で、携帯電話２０に対して、携帯電話２０が現在接続されているネットワーク情報を取得するように指令を出す。これを受けて、携帯電話２０が現在接続されているネットワーク情報を基地局３０から取得すると、ネットワーク情報取得部１６は、携帯電話２０が取得したネットワーク情報を携帯電話２０から取得する。このようにして、ネットワーク情報取得部１６は、携帯電話２０を介して、携帯電話２０が現在接続されているネットワーク情報を基地局３０から取得する。ネットワーク情報は、携帯電話２０が現在接続されているネットワークを提供・管轄する携帯電話事業者を特定する情報を含む。携帯電話２０が現在接続されているネットワークを提供する携帯電話事業者は、通常、携帯電話２０の携帯電話事業者であるが、ローミングの場合には、携帯電話２０の携帯電話事業者以外の携帯電話事業者（即ち、提携する他の携帯電話事業者）となる。
【００２１】
また、ネットワーク情報取得部１６は、好ましくは、携帯電話２０を介して、ネットワーク情報に加えてローミング情報を取得する。ローミング情報は、携帯電話２０が現在接続されているネットワークが他の携帯電話事業者のネットワークであるか否かを表す情報である。例えば、携帯電話２０が、自身の携帯電話事業者のネットワークに接続されている場合は、ローミング情報は、Ｈｏｍｅ（非ローミング状態）となり、携帯電話２０が、自身の携帯電話事業者以外の携帯電話事業者のネットワークに接続されている場合は、ローミング情報は、Ｒｏｍｅ（ローミング状態）となる。
【００２２】
車載機１０は、記憶部１８を備える。記憶部１８には、ネットワーク情報及びローミング情報に応じた所定記号の扱い方（トーン送出を行う際の所定記号の扱い方）を定義したテーブル（以下、記号対照テーブルという）が記憶される。記号対照テーブルは、予め用意され、記憶される。但し、所定記号の扱い方の将来的な（後発的な）変更に機動的に対応するように、記号対照テーブルは、例えば外部サーバーからダウンロードされる最新情報に基づいて定期的に又は不定期的に更新されてもよい。
【００２３】
ここで、所定記号とは、米国において使用されるようなＰ，Ｔ，Ｗといった記号であり、トーン送出挙動を規定する記号である。しかしながら、上記の発明が解決しようとする課題で指摘したように、Ｐ，Ｔ，Ｗの記号の取り扱い方、即ちＰ，Ｔ，Ｗの各記号に対応した各トーン送出挙動が各携帯電話事業者間で異なる。ここでは一例として、以下の表１に示すように、携帯電話事業者Ｓ社では、記号Ｐを、ユーザ操作待ちとして扱うのに対して、携帯電話事業者Ｓ社以外の他の携帯電話事業者（以下、その他の携帯電話事業者ともいい、複数の携帯電話事業者でありうる）では、記号Ｐを、２秒間待ちとして扱う。他方、携帯電話事業者Ｓ社では、記号Ｔを２秒間待ちとして扱い、その他の携帯電話事業者では、記号Ｗを、ユーザ操作待ちとして扱う。
【００２４】
【表１】
2011009905.tif 000003
表２は、記憶部１８に記憶される記号対照テーブルの一例を示す。
【００２５】
【表２】
2011009905.tif 000004
表２の見方として、例えばネットワーク情報がＳ社であり、ローミング情報がＨｏｍｅ（非ローミング）である場合、記号Ｐは、ユーザ操作待ちとして扱い、記号Ｔは、２秒間待ちとして扱い、記号Ｗは、ユーザ操作待ちとして扱う。尚、括弧で囲まれた扱い方は、任意であることを意味する。即ち、例えばネットワーク情報がＳ社であり、ローミング情報がＨｏｍｅ（非ローミング）である場合、記号Ｗについては、ユーザ操作待ちとして扱うことが推奨されるが、他の扱いでもよいことを意味する。
【００２６】
表２の＊の部分は、Ｓ社の携帯電話２０が使用されている可能性が否定できないため、次のような取り扱いであってよい。電話帳１３内に記号Ｗを含む数字列が存在する場合は、“その他”と推定し、記号Ｐは、２秒間待ちとして扱う。また、電話帳１３内に記号Ｔを含む数字列が存在する場合は、“Ｓ社”と推定し、記号Ｐは、ユーザ操作待ちとして扱う。また、電話帳１３内に記号Ｐを含む数字列及び記号Ｗを含む数字列の双方が存在する場合、又は、電話帳１３内に記号Ｐ及びＷの双方を含む数字列が存在する場合、若しくは、電話帳１３内に記号Ｐ及びＷが全く含まれていない場合は、“その他”と推定し、記号Ｐは、２秒間待ちとして扱う。
【００２７】
車載機１０は、トーン送出制御部１９を備える。トーン送出制御部１９は、車載機１０が携帯電話２０と接続された状態で、携帯電話２０を介してトーン送出を行う際のトーン送出制御を行う。
【００２８】
図３は、実施例１のトーン送出制御部１９により実行されるトーン送出制御の一例を示すフローチャートである。図３に示す処理ルーチンは、車載機１０に携帯電話２０が接続された状態で実行され、例えば、車載機１０のユーザインターフェース１２を介してユーザによりトーン送出指示が入力された場合に起動される。
【００２９】
ステップ３００では、電話帳１３からトーン送出すべき数字列を読み出す。電話帳１３内におけるトーン送出すべき数字列は、典型的には、ユーザインターフェース１２を介してユーザにより指定される。
【００３０】
本例では、携帯電話２０の携帯電話事業者がＳ社であるとし、今回トーン送出される数字列は、０１２０１１１Ｐ１２３４Ｔ５６７８とする。数字列部分“０１２０１１１”は相手先の電話番号であるとする。また、今回トーン送出される数字列における数字列部分“１２３４”はユーザＩＤであり、数字列部分“５６７８”は暗証番号であるとする。このトーン送出用の数字列は、相手先に接続されると、毎回、例えば「ピーという発信音の後に、ユーザＩＤを押してください。」という音声メッセージに従って、ユーザＩＤをトーン送出し、「続いて、暗証番号を押してください。」という音声メッセージに従って、暗証番号をトーン送出するような相手先に対して用意されたものである。ユーザは、この相手先ではユーザＩＤを押してから２秒以内に暗証番号の入力が要求されるために、ユーザＩＤと暗証番号の間に記号Ｔを入れている。
【００３１】
ステップ３０２では、電話帳１３から読み出した数字列内に所定記号（本例では、Ｐ，Ｔ，Ｗの少なくともいずれか１つ）が含まれているか否かを判定する。電話帳１３から読み出した数字列内に所定記号が含まれていない場合は、ステップ３０３に進み、通常態様で、電話帳１３から読み出した数字列をそのまま（ユーザ操作待ち等を行わず）携帯電話２０に送信し、携帯電話２０から当該数字列をトーン送出させる。他方、電話帳１３から読み出した数字列内に所定記号が含まれている場合は、ステップ３０４に進む。
【００３２】
ステップ３０４では、ネットワーク情報取得部１６に対してネットワーク情報を携帯電話２０を介して基地局３０から取得するように指示し、ネットワーク情報取得部１６からネットワーク情報を得る。尚、ネットワーク情報取得部１６が既にネットワーク情報を取得している場合は、当該取得済みのネットワーク情報を利用すればよい。
【００３３】
ステップ３０６では、上記ステップ３０４で取得したネットワーク情報と、記憶部１８に記憶される記号対照テーブルとを用いて、数字列内に含まれている所定記号（複数も可）の扱い方、即ち当該所定記号に後続する数字列部分（複数も可）のトーン送出挙動を決定する。本例では、ネットワーク情報がＳ社であるとする。本例では、ローミング情報を取得していないので、ローミング状態か否かが不明であるが、一般的に非ローミング状態が通常状態であることを鑑み、非ローミング状態であると仮定する。この場合、記号Ｐは、ユーザ操作待ちとして扱い、記号Ｔは、２秒間待ちとして扱い、記号Ｗは、ユーザ操作待ちとして扱う。
【００３４】
ステップ３０８では、上記ステップ３０６で決定した所定記号の扱い方に従ってトーン送出制御を実行する。
【００３５】
具体的には、今回トーン送出される数字列が、０１２０１１１Ｐ１２３４Ｔ５６７８であるので、トーン送出制御部１９は、先ず、所定記号Ｐまでの数字列部分０１２０１１１を、携帯電話２０に送信し、携帯電話２０から当該数字列部分をトーン送出させる。その後、トーン送出制御部１９は、所定記号Ｐの取り扱いに対応して、ユーザインターフェース１２を介してユーザの操作を要求する。例えば、ユーザインターフェース１２がタッチパネルディスプレイである場合、タッチパネルディスプレイに、ユーザによる操作可能なタッチスイッチを設定する。当該タッチスイッチには、例えば、「それを操作したときに次の数字列部分がトーン送出されること」がユーザに分かるような表示が付与されてもよい。この場合、ユーザは、例えば接続先から「ピーという発信音の後に、ユーザＩＤを押してください。」という音声メッセージを受け、ピーという発信音を聞くと、当該タッチスイッチを操作する。トーン送出制御部１９は、当該ユーザの操作に応答して、次の所定記号Ｔまでの数字列部分１２３４を、携帯電話２０に送信し、携帯電話２０から当該数字列部分をトーン送出させる。これにより、ユーザＩＤに対応する数字列部分１２３４が適切にトーン送出される。次いで、トーン送出制御部１９は、所定記号Ｔの取り扱いに対応して、数字列部分１２３４の送信後、２秒間待機し、２秒経過後に、所定記号Ｔ以降の数字列部分５６７８を、携帯電話２０に送信し、携帯電話２０から当該数字列部分をトーン送出させる。これにより、暗証番号に対応する数字列部分５６７８が適切にトーン送出される。
【００３６】
このように図３に示す処理によれば、車載機１０は、ネットワーク情報に基づいて所定記号の取り扱い方を決定し、それに従って携帯電話２０にトーン送出させるので、車載機１０は、携帯電話２０の携帯電話事業者を直接把握できない場合でも、精度良く携帯電話２０の携帯電話事業者を推定して、それに応じたトーン送出を携帯電話２０を介して実現することができる。
【００３７】
図４は、実施例１のトーン送出制御部１９により実行されるトーン送出制御のその他の一例を示すフローチャートである。図４に示す処理ルーチンは、車載機１０に携帯電話２０が接続された状態で実行され、例えば、車載機１０のユーザインターフェース１２を介してユーザによりトーン送出指示が入力された場合に起動される。
【００３８】
図４に示す処理ルーチンにおけるステップ４００，４０２，４０３の各処理は、上述の図３に示した処理ルーチンにおけるステップ３００，３０２，３０３の各処理と同様であるので、説明を省略する。尚、ここでも、携帯電話２０の携帯電話事業者がＳ社であるとし、今回トーン送出される数字列は、０１２０１１１Ｐ１２３４Ｔ５６７８とする。
【００３９】
ステップ４０４では、ネットワーク情報取得部１６に対してネットワーク情報及びローミング情報を携帯電話２０を介して基地局３０から取得するように指示し、ネットワーク情報取得部１６からネットワーク情報及びローミング情報を得る。尚、ネットワーク情報取得部１６が既にネットワーク情報及び／又はローミング情報を取得している場合は、当該取得済みのネットワーク情報及び／又はローミング情報を利用すればよい。
【００４０】
ステップ４０６では、上記ステップ４０４で取得したネットワーク情報及びローミング情報と、記憶部１８に記憶される記号対照テーブルとを用いて、数字列内に含まれている所定記号（複数も可）の扱い方、即ち当該所定記号に後続する数字列部分（複数も可）のトーン送出挙動を決定する。本例では、ネットワーク情報がＳ社であり、ローミング情報がＨｏｍｅ（非ローミング）であるとする。この場合、記号対照テーブルに従い、記号Ｐは、ユーザ操作待ちとして扱い、記号Ｔは、２秒間待ちとして扱い、記号Ｗは、ユーザ操作待ちとして扱う。
【００４１】
ステップ４０８では、上記ステップ４０６で決定した所定記号の扱い方に従ってトーン送出制御を実行する。
【００４２】
具体的には、今回トーン送出される数字列が、０１２０１１１Ｐ１２３４Ｔ５６７８であるので、トーン送出制御部１９は、先ず、所定記号Ｐまでの数字列部分０１２０１１１を、携帯電話２０に送信し、携帯電話２０から当該数字列部分をトーン送出させる。その後、トーン送出制御部１９は、所定記号Ｐの取り扱いに対応して、ユーザインターフェース１２を介してユーザの操作を要求する。例えば、ユーザインターフェース１２がタッチパネルディスプレイである場合、タッチパネルディスプレイに、ユーザによる操作可能なタッチスイッチを設定する。この場合、ユーザは、例えば接続先から「ピーという発信音の後に、ユーザＩＤを押してください。」という音声メッセージを車載スピーカーを介して受け、ピーという発信音を車載スピーカーを介して聞くと、当該タッチスイッチを操作する。トーン送出制御部１９は、当該ユーザの操作に応答して、次の所定記号Ｔまでの数字列部分１２３４を、携帯電話２０に送信し、携帯電話２０から当該数字列部分をトーン送出させる。これにより、ユーザＩＤに対応する数字列部分１２３４が適切にトーン送出される。次いで、トーン送出制御部１９は、所定記号Ｔの取り扱いに対応して、数字列部分１２３４の送信後、２秒間待機し、２秒経過後に、所定記号Ｔ以降の数字列部分５６７８を、携帯電話２０に送信し、携帯電話２０から当該数字列部分をトーン送出させる。これにより、暗証番号に対応する数字列部分５６７８が適切にトーン送出される。
【００４３】
尚、携帯電話２０の携帯電話事業者がＳ以外である場合は、ユーザは、上記例と同一の送信先に同一のトーン送出するために、０１２０１１１Ｗ１２３４Ｐ５６７８という数字列を用意・登録する。このとき、ネットワーク情報がＳ社であり、ローミング情報がＲｏｍｅ（ローミング）であった場合は、トーン送出制御部１９は、記号Ｗをユーザ操作待ちとして扱い、記号Ｔを２秒間待ちとして扱い、記号Ｗを２秒間待ちとして扱う（ステップ４０６参照）。これにより、トーン送出制御部１９は、上述の例（０１２０１１１Ｐ１２３４Ｔ５６７８をトーン送出する例）と同様の態様で、適切に０１２０１１１Ｗ１２３４Ｐ５６７８を携帯電話２０にトーン送出させることができる。
【００４４】
このように図４に示す処理によれば、上述のこのように図３に示す処理による効果と同様の効果を得ることができる。但し、図４に示す処理によれば、ネットワーク情報に加えてローミング情報を用いて所定記号の取り扱い方を決定するので、ネットワーク情報だけを用いる構成よりも精度良く携帯電話２０の携帯電話事業者を推定することができる。これにより、車載機１０のユーザは、携帯電話２０で行う場合と同じ感覚で、車載機１０によるトーン送出を行うことができる。
【００４５】
尚、上述の実施例１（特に図３及び図４に示す処理）は、車載機１０が携帯電話２０の携帯電話事業者を直接把握できない場合に好適である。
【００４６】
次に、図５以降を参照して実施例２を説明する。実施例２では、上述の実施例１と同一であってよい構成要素については同一の参照符号を付して説明を省略する。
【００４７】
図５は、本発明の実施例２による車載ハンズフリー電話システム２を示す全体システム図である。本実施例２の車載ハンズフリー電話システム２は、車載機１０Ａと、携帯電話２０とを含む。
【００４８】
図６は、車載機１０Ａの主要機能を示す図である。車載機１０Ａは、ユーザインターフェース１２と、電話帳１３と、事業者情報取得部１７と、記憶部１８Ａと、トーン送出制御部１９Ａとを含む。
【００４９】
事業者情報取得部１７は、車載機１０Ａに現在接続されている携帯電話２０の携帯電話事業者を表す情報（以下、「事業者情報」という）を取得する。事業者情報は、車載機１０Ａにおける携帯電話２０の登録時（初期登録時）に、ユーザインターフェース１２を介してユーザから入力される各種携帯電話情報に基づくものであってよい。この場合、ユーザから入力される携帯電話情報に基づく事業者情報は、例えば記憶部１８Ａに記憶される。事業者情報取得部１７は、現在接続されている携帯電話２０に対応する事業者情報を記憶部１８Ａから取得する。尚、複数の携帯電話２０が登録されている場合、各携帯電話２０の事業者情報は、各携帯電話２０のＩＤ（例えばそれぞれの自局の電話番号）に対応付けて記憶部１８Ａに記憶されてもよい。この場合、事業者情報取得部１７は、現在接続されている携帯電話２０のＩＤを取得し、当該ＩＤに応じた事業者情報を記憶部１８Ａから取得する。この場合、携帯電話２０は、例えば車載機１０Ａからの要求に応じて、車載機１０Ａに自身のＩＤを送信する機能を有する。
【００５０】
或いは、事業者情報取得部１７は、車載機１０Ａに現在接続されている携帯電話２０から直接的に事業者情報（当該携帯電話２０の携帯電話事業者を表す情報）を取得してもよい。この場合、携帯電話２０は、例えば車載機１０Ａからの要求に応じて、車載機１０Ａに事業者情報を送信する機能を有する。
【００５１】
記憶部１８Ａには、事業者情報に応じた所定記号の扱い方（トーン送出を行う際の所定記号の扱い方）を定義したテーブル（記号対照テーブル）が記憶される。記号対照テーブルは、例えば表３に示すようなテーブルであってよい。
【００５２】
【表３】
2011009905.tif 000005
図７は、実施例２のトーン送出制御部１９Ａにより実行されるトーン送出制御の一例を示すフローチャートである。図７に示す処理ルーチンは、車載機１０Ａに携帯電話２０が接続された状態で実行され、例えば、車載機１０Ａのユーザインターフェース１２を介してユーザによりトーン送出指示が入力された場合に起動される。
【００５３】
図７に示す処理ルーチンにおけるステップ７００，７０２，７０３の各処理は、上述の図３に示した処理ルーチンにおけるステップ３００，３０２，３０３の各処理と同様であるので、説明を省略する。尚、ここでも、携帯電話２０の携帯電話事業者がＳ社であるとし、今回トーン送出される数字列は、０１２０１１１Ｐ１２３４Ｔ５６７８とする。
【００５４】
ステップ７０４では、事業者情報取得部１７に対して、車載機１０Ａに現在接続されている携帯電話２０の事業者情報を取得するように指示し、事業者情報取得部１７から事業者情報を得る。尚、事業者情報取得部１７が既に事業者情報を取得している場合は、当該取得済みの事業者情報を記憶部１８Ａから読み出して利用すればよい。
【００５５】
ステップ７０６では、上記ステップ７０４で取得した事業者情報と、記憶部１８Ａに記憶される記号対照テーブルとを用いて、数字列内に含まれている所定記号（複数も可）の扱い方、即ち当該所定記号に後続する数字列部分（複数も可）のトーン送出挙動を決定する。本例では、事業者情報がＳ社であるとする。この場合、記号Ｐは、ユーザ操作待ちとして扱い、記号Ｔは、２秒間待ちとして扱う。
【００５６】
ステップ７０８では、上記ステップ７０６で決定した所定記号の扱い方に従ってトーン送出制御を実行する。
【００５７】
具体的には、今回トーン送出される数字列が、０１２０１１１Ｐ１２３４Ｔ５６７８であるので、トーン送出制御部１９Ａは、先ず、所定記号Ｐまでの数字列部分０１２０１１１を、携帯電話２０に送信し、携帯電話２０から当該数字列部分をトーン送出させる。その後、トーン送出制御部１９Ａは、所定記号Ｐの取り扱いに対応して、ユーザインターフェース１２を介してユーザの操作を要求する。例えば、ユーザインターフェース１２がタッチパネルディスプレイである場合、タッチパネルディスプレイに、ユーザによる操作可能なタッチスイッチを設定する。この場合、ユーザは、例えば接続先から「ピーという発信音の後に、ユーザＩＤを押してください。」という音声メッセージを受け、ピーという発信音を聞くと、当該タッチスイッチを操作する。トーン送出制御部１９Ａは、当該ユーザの操作に応答して、次の所定記号Ｔまでの数字列部分１２３４を、携帯電話２０に送信し、携帯電話２０から当該数字列部分をトーン送出させる。これにより、ユーザＩＤに対応する数字列部分１２３４が適切にトーン送出される。次いで、トーン送出制御部１９Ａは、所定記号Ｔの取り扱いに対応して、数字列部分１２３４の送信後、２秒間待機し、２秒経過後に、所定記号Ｔ以降の数字列部分５６７８を、携帯電話２０に送信し、携帯電話２０から当該数字列部分をトーン送出させる。これにより、暗証番号に対応する数字列部分５６７８が適切にトーン送出される。
【００５８】
このように図７に示す処理によれば、車載機１０Ａは、事業者情報に基づいて所定記号の取り扱い方を決定し、それに従って携帯電話２０にトーン送出させるので、車載機１０Ａは、携帯電話２０の携帯電話事業者に応じたトーン送出動作を携帯電話２０を介して実現することができる。これにより、車載機１０Ａのユーザは、携帯電話２０で行う場合と同じ感覚で、車載機１０Ａによるトーン送出を行うことができる。
【００５９】
次に、図８以降を参照して実施例３を説明する。実施例３は、上述の実施例１と実施例２を適切に組み合わせた実施例である。実施例３では、上述の実施例１及び実施例２と同一であってよい構成要素については同一の参照符号を付して説明を省略する。
【００６０】
図８は、本発明の実施例３による車載ハンズフリー電話システム３を示す全体システム図である。本実施例３の車載ハンズフリー電話システム３は、車載機１０Ｂと、携帯電話２０とを含む。
【００６１】
図９は、実施例３による車載機１０Ｂの主要機能を示す図である。車載機１０Ｂは、ユーザインターフェース１２と、電話帳１３と、ネットワーク情報取得部１６と、事業者情報取得部１７と、記憶部１８Ｂと、トーン送出制御部１９Ｂとを含む。
【００６２】
記憶部１８Ｂは、上述の実施例１による記憶部１８と上述の実施例２による記憶部１８Ａとを足し合わせたものである。即ち、記憶部１８Ｂには、ネットワーク情報及びローミング情報に応じた所定記号の扱い方を定義した記号対照テーブル（表２参照）が記憶されると共に、事業者情報に応じた所定記号の扱い方を定義した記号対照テーブル（表３参照）が記憶される。
【００６３】
図１０は、実施例３のトーン送出制御部１９Ｂにより実行されるトーン送出制御の一例を示すフローチャートである。図１０に示す処理ルーチンは、車載機１０Ｂに携帯電話２０が接続された状態で実行され、例えば、車載機１０Ｂのユーザインターフェース１２を介してユーザによりトーン送出指示が入力された場合に起動される。
【００６４】
図１０に示す処理ルーチンにおけるステップ１０００，１００２，１００３の各処理は、上述の図３に示した処理ルーチンにおけるステップ３００，３０２，３０３の各処理と同様であるので、説明を省略する。
【００６５】
ステップ１００４では、事業者情報取得部１７による事業者情報の取得が可能であるか否かを判定する。例えば、トーン送出制御部１９Ｂは、事業者情報取得部１７に対して、車載機１０Ｂに現在接続されている携帯電話２０の事業者情報の取得が可能であるか否かを判定するよう指示する。事業者情報の取得が不能な場合とは、例えば記憶部１８Ｂに、車載機１０Ｂに現在接続されている携帯電話２０の事業者情報が未だ記憶されていない場合や、車載機１０Ｂに現在接続されている携帯電話２０が事業者情報を送信する機能を有しない場合等が想定される。事業者情報取得部１７による事業者情報の取得が可能である場合は、ステップ１００６に進み、事業者情報取得部１７による事業者情報の取得が可能でない場合は、ステップ１０１０に進む。
【００６６】
ステップ１００６では、上述の実施例２の図７のステップ７０４と同様の処理を実行する。
【００６７】
ステップ１００８では、上述の実施例２の図７のステップ７０６と同様の処理を実行する。
【００６８】
ステップ１０１０では、上述の実施例１の図４のステップ４０４と同様の処理を実行する。
【００６９】
ステップ１０１２では、上述の実施例１の図４のステップ４０６と同様の処理を実行する。
【００７０】
ステップ１０１４では、上記ステップ１００８又は１０１２で決定した所定記号の扱い方に従ってトーン送出制御を実行する。この処理は、上述の実施例２の図７のステップ７０８又は上述の実施例１の図４のステップ４０８と同様であってよい。
【００７１】
このように図１０に示す処理によれば、車載機１０Ｂは、事業者情報に基づいて所定記号の取り扱い方を決定し、それに従って携帯電話２０にトーン送出させるので、車載機１０Ｂは、携帯電話２０の携帯電話事業者に応じたトーン送出動作を携帯電話２０を介して実現することができる。また、車載機１０Ｂは、事業者情報が取得不能な場合でも、ネットワーク情報及びローミング情報を用いて所定記号の取り扱い方を決定するので、精度良く携帯電話２０の携帯電話事業者を推定することができる。これにより、車載機１０Ｂのユーザは、携帯電話２０で行う場合と同じ感覚で、車載機１０Ｂによるトーン送出を行うことができる。
【００７２】
以上、本発明の好ましい実施例について詳説したが、本発明は、上述した実施例に制限されることはなく、本発明の範囲を逸脱することなく、上述した実施例に種々の変形及び置換を加えることができる。
【００７３】
例えば、上述した実施例は、米国での適用例を想定して、所定記号がＰ，Ｗ，Ｔであったが、他の国においては異なる記号が使用されうり、その扱い方も異なりうる。従って、それに応じて記号対照テーブルを作成すればよい。また、国間でのローミング（国際ローミング）を考慮する必要がある場合は、当該複数の国で使用される同様の記号が考慮されればよい。
【符号の説明】
【００７４】
１，２，３    車載ハンズフリー電話システム
１０，１０Ａ，１０Ｂ    車載機
１２    ユーザインターフェース
１３    電話帳
１６    ネットワーク情報取得部
１７    事業者情報取得部
１８，１８Ａ，１８Ｂ    記憶部
１９，１９Ａ，１９Ｂ    トーン送出制御部
２０    携帯電話
３０    基地局
【図１】
2011009905.tif 000006
【図２】
2011009905.tif 000007
【図３】
2011009905.tif 000008
【図４】
2011009905.tif 000009
【図５】
2011009905.tif 000010
【図６】
2011009905.tif 000011
【図７】
2011009905.tif 000012
【図８】
2011009905.tif 000013
【図９】
2011009905.tif 000014
【図１０】
2011009905.tif 000015
【手続補正書】
【提出日】平成22年6月17日(2010.6.17)
【手続補正１】
【補正対象書類名】特許請求の範囲
【補正対象項目名】全文
【補正方法】変更
【補正の内容】
【特許請求の範囲】
【請求項１】
車載ハンズフリー電話システムであって、
車載機と、
前記車載機に有線又は無線により接続されると共に、基地局に無線により接続される携帯電話とを備え、
前記車載機は、
前記携帯電話を介して、前記基地局から、前記携帯電話が現在接続されているネットワーク情報を取得する情報取得手段と、
所定記号を途中に含む数字列を記憶する記憶手段と、
前記記憶手段に記憶された数字列を前記携帯電話に送信して前記携帯電話にトーン送出させるトーン送出制御手段とを備え、
前記トーン送出制御手段は、前記情報取得手段で取得したネットワーク情報に基づいて、前記所定記号に後続する数字列部分のトーン送出挙動を決定する、車載ハンズフリー電話システム。
【請求項２】
前記トーン送出制御手段は、前記情報取得手段で取得したネットワーク情報に基づいて、前記所定記号に後続する数字列部分をユーザからの操作を待ってからトーン送出させる挙動、及び、前記所定記号に後続する数字列部分を所定秒間待ってからトーン送出させる挙動のうちのいずれかを決定する、請求項１に記載の車載ハンズフリー電話システム。
【請求項３】
前記情報取得手段は、前記ネットワーク情報に加えて、ローミング情報を取得し、
前記トーン送出制御手段は、前記情報取得手段で取得したネットワーク情報及びローミング情報に基づいて、前記所定記号に後続する数字列部分のトーン送出挙動を決定する、請求項１に記載の車載ハンズフリー電話システム。
【請求項４】
前記トーン送出制御手段は、前記情報取得手段で取得したネットワーク情報及びローミング情報に基づいて、前記所定記号に後続する数字列部分をユーザからの操作を待ってからトーン送出させる挙動、及び、前記所定記号に後続する数字列部分を所定秒間待ってからトーン送出させる挙動のうちのいずれかを決定する、請求項３に記載の車載ハンズフリー電話システム。
【請求項５】
所定記号を途中に含む数字列は、相手先の電話番号の数字列部分と、該電話番号に後続する前記所定記号、及び、該所定記号に後続する数字列部分を含む、請求項１〜４のうちのいずれか１項に記載の車載ハンズフリー電話システム。
【請求項６】
車載ハンズフリー電話システムであって、
車載機と、
前記車載機に有線又は無線により接続されると共に、基地局に無線により接続される携帯電話とを備え、
前記車載機は、
当該車載機に現在接続されている携帯電話の事業者情報を取得する情報取得手段と、
所定記号を途中に含む数字列を記憶する記憶手段と、
前記記憶手段に記憶された数字列を前記携帯電話に送信して前記携帯電話にトーン送出させるトーン送出制御手段とを備え、
前記トーン送出制御手段は、前記情報取得手段で取得した事業者情報に基づいて、前記所定記号に後続する数字列部分のトーン送出挙動を決定する、車載ハンズフリー電話システム。
【請求項７】
車載ハンズフリー電話システムであって、
車載機と、
前記車載機に有線又は無線により接続されると共に、基地局に無線により接続される携帯電話とを備え、
前記車載機は、
当該車載機に現在接続されている携帯電話の事業者情報を取得する事業者情報取得手段と、
前記携帯電話を介して、前記基地局から、前記携帯電話が現在接続されているネットワーク情報及びローミング情報を取得するネットワーク情報取得手段と、
所定記号を途中に含む数字列を記憶する記憶手段と、
前記記憶手段に記憶された数字列を前記携帯電話に送信して前記携帯電話にトーン送出させるトーン送出制御手段とを備え、
前記トーン送出制御手段は、前記事業者情報取得手段により事業者情報が取得された場合は、該取得した事業者情報に基づいて、前記所定記号に後続する数字列部分のトーン送出挙動を決定し、前記事業者情報取得手段により事業者情報が取得されない場合は、前記ネットワーク情報取得手段で取得したネットワーク情報及びローミング情報に基づいて、前記所定記号に後続する数字列部分のトーン送出挙動を決定する、車載ハンズフリー電話システム。
【請求項８】
車載ハンズフリー電話システムにおけるトーン送出方法であって、
携帯電話を車載機に接続するステップと、
前記携帯電話を介して、前記基地局から、前記携帯電話が現在接続されているネットワーク情報及びローミング情報を取得する情報取得ステップと、
所定記号を途中に含む数字列を、記憶手段から読み出すステップと、
前記情報取得ステップで取得したネットワーク情報及びローミング情報に基づいて、前記読み出した数字列に含まれる数字列部分であって、前記所定記号に後続する数字列部分のトーン送出挙動を決定するトーン送出挙動決定ステップと、
前記トーン送出挙動決定ステップで決定したトーン送出挙動に従って、前記読み出した数字列を前記携帯電話に送信して前記携帯電話にトーン送出させるステップとを含む、方法。